(57)【要約】【課題】表示灯が点灯しているときでは、有色薄膜を通して表示灯の光を透過させて電気的な開閉状態を表示し、表示灯が消灯しているときでは、有色薄膜の色の外観を得る。【解決手段】レンズブロック７は、レンズ７１を備えている。上記レンズ７１は、表示灯６０の光を下面７２ａから入射し上面７２ａから出射するレンズ本体７２と、レンズ本体７２の上面７２ｂ上に設けられ透光性を有する有色薄膜７３とを備えている。スイッチ本体２における固定接点２１１ｃと可動接点２２ｃの電気的な接触開離状態に基づいて、表示灯６０は光を放射する。上記光は、レンズ７１のレンズ本体７２及ぶ有色薄膜７３を透過して外部に放射される。【選択図】図１
2006302842.tif 000002
【特許請求の範囲】
【請求項１】
電気的な開閉を行うスイッチ本体と、
前記電気的な開閉状態に基づいて光を放射する表示灯と、
前記表示灯の光を一端面から入射し他端面から出射するレンズ本体、及び前記レンズ本体の他端面上に設けられ透光性を有する有色薄膜を含むレンズと
を備えることを特徴とするスイッチ。
【請求項２】
前記有色薄膜が、金属蒸着膜であることを特徴とする請求項１記載のスイッチ。
【請求項３】
前記有色薄膜が、前記他端面上に転写された有色の箔であることを特徴とする請求項１記載のスイッチ。
【請求項４】
前記有色薄膜が、シルク印刷による膜であることを特徴とする請求項１記載のスイッチ。
【請求項５】
前記有色薄膜が、塗装膜であることを特徴とする請求項１記載のスイッチ。
【発明の詳細な説明】
【技術分野】
【０００１】
本発明は、例えば、電気的な開閉状態を表示するスイッチに関するものである。
【背景技術】
【０００２】
従来、この種のスイッチは、例えば特許文献１などのように、スイッチ本体で電気的な開閉を行うものであり、上記電気的な開閉状態を視覚的に表示するために表示灯を備えている。上記従来のスイッチにおいて、上記表示灯からの光が透明又は半透明のレンズを透過して外部に放射されることにより、スイッチ本体の電気的な開閉状態を確認することができる。
【特許文献１】特開２００３−７１７０号公報
【発明の開示】
【発明が解決しようとする課題】
【０００３】
しかしながら、上記従来のスイッチは、表示灯の光を透過させて電気的な開閉状態を表示するために透明又は半透明のレンズを用いていたので、デザイン設計の自由度が小さいという問題があった。
【０００４】
本発明は上記の点に鑑みて為されたものであり、その目的とするところは、表示灯が点灯しているときでは、有色薄膜を通して表示灯の光を透過させて電気的な開閉状態を表示することができ、表示灯が消灯しているときでは、有色薄膜の色の外観を得ることができるスイッチを提供することにある。
【課題を解決するための手段】
【０００５】
請求項１に記載の発明は、電気的な開閉を行うスイッチ本体と、前記電気的な開閉状態に基づいて光を放射する表示灯と、前記表示灯の光を一端面から入射し他端面から出射するレンズ本体、及び前記レンズ本体の他端面上に設けられ透光性を有する有色薄膜を含むレンズとを備えることを特徴とする。
【０００６】
この構成では、表示灯が点灯しているときでは、有色薄膜を通して表示灯の光を透過させて電気的な開閉状態を表示することができ、表示灯が消灯しているときでは、有色薄膜の色の外観を得ることができる。
【０００７】
請求項２に記載の発明は、請求項１に記載の発明において、前記有色薄膜が、金属蒸着膜であることを特徴とする。この構成では、有色薄膜の膜厚を均一にして設けることができるので、外観の色調及び透過光のばらつきを低減することができる。
【０００８】
請求項３に記載の発明は、請求項１に記載の発明において、前記有色薄膜が、前記他端面上に転写された有色の箔であることを特徴とする。この構成では、有色薄膜の膜厚を容易に均一にして設けることができるので、外観の色調及び透過光のばらつきを低減することができる。
【０００９】
請求項４に記載の発明は、請求項１に記載の発明において、前記有色薄膜が、シルク印刷による膜であることを特徴とする。この構成では、有色薄膜を容易かつ安価に形成することができるとともに、色の種類が豊富であるので、デザイン性を高めることができる。
【００１０】
請求項５に記載の発明は、請求項１に記載の発明において、前記有色薄膜が、塗装膜であることを特徴とする。この構成では、有色薄膜を容易かつ安価に形成することができるとともに、色の種類が豊富であるので、デザイン性を高めることができる。
【発明の効果】
【００１１】
本発明によれば、表示灯が点灯しているときでは、有色薄膜を通して表示灯の光を透過させて電気的な開閉状態を表示することができ、表示灯が消灯しているときでは、有色薄膜の色の外観を得ることができる。
【発明を実施するための最良の形態】
【００１２】
（実施形態１）
本発明の実施形態１について図１，２を用いて説明する。図１は、実施形態１のスイッチの断面図である。図２は、実施形態１のスイッチの分解斜視図である。
【００１３】
先ず、実施形態１の基本的な構成について説明する。実施形態１のスイッチは、図１に示すように、ボディ１と、３組のスイッチ本体２と、３組の操作ハンドル３と、カバー４と、化粧プレート５と、３組の表示灯ブロック６と、レンズブロック７とを備えている。なお、３組のスイッチ本体２及び３組の操作ハンドル３は、図１の手前から奥方向に並んで配置されている。また、３組の表示灯ブロック６も同様に、図１の手前から奥方向に並んで配置されている。
【００１４】
ボディ１は、例えば合成樹脂などにより箱状に形成されているものであり、内部を仕切壁（図示せず）により３つの区画に分け、さらに各区画を隔壁１０，１０により３つの収納室１ａ，１ｂ，１ｃに分けている。上記ボディ１は、複数の電線挿入口１１，１１を各区画毎に有するとともに、一対の凹部１２，１２を各区画毎に有している。各電線挿入口１１には、外部機器と接続する電線（図示せず）が挿入される。
【００１５】
各スイッチ本体２は、電気的な開閉を行うものであり、第１の端子ブロック２０と、第２の端子ブロック２１と、開閉子２２と、反転ハンドル２３とを備え、ボディ１に収納されている。
【００１６】
第１の端子ブロック２０は、端子を構成する端子板２００と、端子板２００と結合する導電板２０１と、解除ハンドル２０２とを備えている。端子板２００は、収納室１ａに収納され、電線挿入口１１から電線（図示せず）が挿入されると、上記電線と電気的に接続する。導電板２０１は、帯板状の金属板を折曲して形成されているものであり、一端部２０１ａが収納室１ａに収納され、他端部２０１ｂが収納室１ｂに収納されている。解除ハンドル２０２は、電線挿入口１１から挿入された電線と端子板２００との接続を解除するものであり、操作部２０２ａを凹部１２から外側に出すようにして収納室１ａに収納されている。
【００１７】
第２の端子ブロック２１は、端子を構成する端子板２１０と、端子板２１０と結合する導電板２１１と、解除ハンドル２１２とを備えている。端子板２１０は、収納室１ｃに収納され、電線挿入口１１から電線（図示せず）が挿入されると、上記電線と電気的に接続する。導電板２１１は、帯板状の金属板を折曲して形成されているものであり、一端部２１１ａが収納室１ｃに収納され、他端部２１１ｂが収納室１ｂに収納されている。また、導電板２１１は、他端部２１１ｂに固定接点２１１ｃを備えている。解除ハンドル２１２は、電線挿入口１１から挿入された電線と端子板２１０との接続を解除するものであり、操作部２１２ａを凹部１２から外側に出すようにして収納室１ｃに収納されている。
【００１８】
開閉子２２は、金属材料により形成され、一端部２２ａで導電板２０１の他端部２０１ｂと電気的に接続された状態で枢支され、反転動作するものであり、他端部２２ｂに導電板２１１の固定接点２１１ｃと接触開離する可動接点２２ｃを備えている。上記開閉子２２の反転動作に応じて可動接点２２ｃが固定接点２１１ｃと接触開離する。
【００１９】
反転ハンドル２３は、一端部２３ａがボディ１の収納室１ｂに収納され、上記一端部２３ａで開閉子２２の他端部２２ｂと結合し、揺動することにより、開閉子２２の可動接点２２ｃを導電板２１１の固定接点２１１ｃに接触開離させることができる。
【００２０】
各操作ハンドル３は、例えば合成樹脂などにより箱状に形成されているものであり、底部３０と、底部３０の周囲から延設される側部３１と、底部３０の下面から突設する突部３２とを備えている。上記操作ハンドル３は、突部３２で反転ハンドル２３の他端部２３ｂと接触し、揺動自在である。
【００２１】
カバー４は、図２に示すように、例えば合成樹脂などにより形成されているものであり、ボディ１の上面に取り付けられるものであり、複数の挿通孔４０・・・を有している。
【００２２】
化粧プレート５は、例えば合成樹脂などにより形成されているものであり、４つの側部５０，５１，５２，５３を一体に備えている。上記化粧プレート５は、下面において下方に突設する突片（図示せず）を複数備え、上記突片をカバー４の挿通孔４０に差し込むことにより、カバー４に固定する。また、化粧プレート５は、側部５０から内側に突設する複数の支持部５４，５４を設け、側部５０と側部５２，５３との間にそれぞれ凹部５ａ，５ａを有している。上記側部５０の内側に沿って装飾条５５が取り付けられる。このとき、装飾条５５は、両端が凹部５ａ，５ａに係合し、複数の支持部５４，５４に支持される。さらに、化粧プレート５は、側部５１から内側に突設する複数の支持部５６，５６を設け、側部５１と側部５２，５３との間にそれぞれ凹部５ｂ，５ｂを有している。
【００２３】
各表示灯ブロック６は、図１に示すように、ボディ１の外に配置されるものであり、表示灯６０と、表示灯６０のリード（図示せず）に接続される一対の接続線６１，６１と、表示灯６０を収納し一対の接続線６１，６１を導出しているランプケース６２とを備えている。一対の接続線６１，６１のそれぞれの先端には、接触子（図示せず）を有するコネクタ部６３，６３を備えている。一対のコネクタ部６３，６３のうち、一方は、接触子を端子板２００に弾接させるようにして、ボディ１に取り付けられ、他方は、接触子を端子板２１０に弾接させるようにして、ボディ１に取り付けられる。また、ランプケース６２には、表示灯６０の一方のリードと接続線６１との間に挿入された限流用の抵抗（図示せず）を備えている。表示灯６０は、例えばネオンランプなどであり、導電板２１１の固定接点２１１ｃと開閉子２２の可動接点２２ｃとの間の電気的な開閉状態に基づいて光を放射するものである。具体的には、各表示灯６０は、上記固定接点２１１ｃと可動接点２２ｃとが接触すると消灯し、上記固定接点２１１ｃと可動接点２２ｃとが開離すると点灯する。
【００２４】
レンズブロック７は、図２に示すように、接合部７０に、３つのレンズ７１を一体に備えているものである。上記レンズブロック７は、接合部７０の両端が化粧プレート５の凹部５ｂ，５ｂに係合し、接合部７０の中間部が複数の支持部５６，５６に支持されることにより化粧プレート５に取り付けられる。各レンズ７１は、図１に示すように、レンズ本体７２と、有色薄膜７３とを備えている。レンズ本体７２は、透明又は半透明であり、レンズブロック７が化粧プレート５（図２参照）に取り付けられた状態において、下面７２ａで表示灯６０と対向している。このとき、表示灯６０の光を下面７２ａから入射し、上面７２ｂから出射する。
【００２５】
有色薄膜７３は、例えば銀や銅、アルミニウムなどの金属材料から選択される金属蒸着膜であり、透光性を有してレンズ本体７２の上面７２ｂ上に設けられている。ここで、有色薄膜７３とは、透明以外の薄膜であり、白色の薄膜や黒色の薄膜も含み、用途に応じて色を適宜選択することができる。また、有色薄膜７３の膜厚は、透光性を有する範囲で、選択される金属に応じて適宜設定する。
【００２６】
次に、有色薄膜７３の形成方法について説明する。先ず、有色薄膜７３を形成する前のレンズブロック７を蒸着装置に設置する。続いて、レンズ本体７２の上面７２ｂ及び接合部７０の上面に金属材料を蒸着する。蒸着方法は薄膜を均一に形成するのに優れた薄膜形成方法であるので、上記有色薄膜７３は、薄い膜厚で均一に形成されたものとなる。
【００２７】
以上、実施形態１によれば、表示灯６０が点灯しているときでは、有色薄膜７３を通して表示灯６０の光を透過させて電気的な開閉状態を表示することができ、表示灯６０が消灯しているときでは、有色薄膜７３の色の外観（例えば金属調など）を得ることができる。また、有色薄膜７３を蒸着膜にすることにより、有色薄膜７３の膜厚を均一にして設けることができるので、外観の色調及び透過光のばらつきを低減することができる。
【００２８】
（実施形態２）
本発明の実施形態２について説明する。なお、実施形態２において図１を兼用する。
【００２９】
実施形態２のスイッチは、図１に示すように、ボディ１と、３組のスイッチ本体２と、３組の操作ハンドル３と、カバー４と、化粧プレート５と、３組の表示灯ブロック６とを、実施形態１のスイッチと同様に備えているが、実施形態１のスイッチにはない以下に記載の特徴部分がある。
【００３０】
実施形態２のレンズブロック７において、レンズ７１の有色薄膜７３は、蒸着膜に代わって、レンズ本体７２の上面７２ｂ上に転写された有色の箔である。上記有色の箔は、上面７２ｂ側から接着膜、金属蒸着膜及び剥離膜を順に重ねたものである。金属蒸着膜は、例えば銀や銅、アルミニウムなどの金属材料から選択されるものである。上記有色の箔である有色薄膜７３は、透光性を有する範囲の膜厚で形成される。なお、実施形態２のレンズブロック７は、上記以外の点において、実施形態１のレンズブロックと同様である。
【００３１】
次に、有色薄膜７３の形成方法について説明する。先ず、例えばポリエチレンテレフタレート（ＰＥＴ）などの平面状のベースフィルム（シート）に、剥離膜を形成し、その上に金属蒸着膜を形成し、さらに、その上に接着膜を形成して有色の箔を形成する。続いて、上記有色の箔が形成されたベースフィルムを、接着膜側をレンズ本体７２の上面７２ｂ及び接合部７０の上面に接触させる。上記の状態で、ベースフィルム側からローラーで温度を加えながら圧力を加えていく。最後に、ベースフィルムを剥がして有色の箔を有色薄膜７３としてレンズ本体７２の上面７２ｂ及び接合部７０の上面に転写する。上記のようにして、ベースフィルムに形成してからレンズ本体７２の上面７２ａに転写するほうが、レンズ本体７２の上面７２ａに直に蒸着するよりも膜厚の管理を容易に行うことができる。また、蒸着の場合と比べて、レンズ本体７２の他の面に有色薄膜７３が形成されることが少ないので、蒸着の場合と比べて表示灯６０からの光を明るく放射することができる。
【００３２】
以上、実施形態２によれば、実施形態１と同様の効果を得ることができるとともに、有色薄膜７３を箔にすることにより、有色薄膜７３の膜厚を容易に均一にして設けることができるので、外観の色調及び透過光のばらつきを低減することができる。
【００３３】
（実施形態３）
本発明の実施形態３について説明する。なお、実施形態３において図１を兼用する。
【００３４】
実施形態３のスイッチは、図１に示すように、ボディ１と、３組のスイッチ本体２と、３組の操作ハンドル３と、カバー４と、化粧プレート５と、３組の表示灯ブロック６とを、実施形態１のスイッチと同様に備えているが、実施形態１のスイッチにはない以下に記載の特徴部分がある。
【００３５】
実施形態３のレンズブロック７において、レンズ７１の有色薄膜７３は、蒸着膜に代わって、シルク印刷により形成された膜である。シルク印刷のよる方法は、蒸着方法と比べて安価な設備で行うことができる。上記シルク印刷で形成する場合も、透光性を有する範囲で膜厚を設定する。シルク印刷に用いられる塗料には、さまざまな色のものがあり、用途に応じて適宜選択することができる。なお、実施形態３のレンズブロック７は、上記以外の点において、実施形態１のレンズと同様である。
【００３６】
以上、実施形態３によれば、実施形態１と同様の効果を得ることができるとともに、有色薄膜７３をシルク印刷により形成された膜にすることにより、有色薄膜７３を容易かつ安価に形成することができるとともに、色の種類が豊富であるので、デザイン性を高めることができる。
【００３７】
（実施形態４）
本発明の実施形態４について説明する。なお、実施形態４において図１を兼用する。
【００３８】
実施形態４のスイッチは、図１に示すように、ボディ１と、３組のスイッチ本体２と、３組の操作ハンドル３と、カバー４と、化粧プレート５と、３組の表示灯ブロック６とを、実施形態１のスイッチと同様に備えているが、実施形態１のスイッチにはない以下に記載の特徴部分がある。
【００３９】
実施形態４のレンズブロック７において、レンズ７１の有色薄膜７３は、蒸着膜に代わって、塗装膜である。塗装のよる方法は、蒸着方法と比べて安価な設備で行うことができる。上記有色薄膜７３は、塗料などを透光性を有する範囲で薄く塗布することにより形成される。塗料には、さまざまな色のものがあり、用途に応じて適宜選択することができる。なお、実施形態４のレンズブロック７は、上記以外の点において、実施形態１のレンズと同様である。
【００４０】
以上、実施形態４によれば、実施形態１と同様の効果を得ることができるとともに、有色薄膜７３を塗装膜にすることにより、有色薄膜７３を容易かつ安価に形成することができるとともに、色の種類が豊富であるので、デザイン性を高めることができる。
【図面の簡単な説明】
【００４１】
【図１】本発明による実施形態１のスイッチの断面図である。
【図２】同上のスイッチの分解斜視図である。
【符号の説明】
【００４２】
２  スイッチ本体
２１１ｃ  固定接点
２２ｃ  可動接点
６０  表示灯
７  レンズブロック
７１  レンズ
７２  レンズ本体
７２ａ  下面
７２ｂ  上面
７３  有色薄膜
【図１】
2006302842.tif 000003
【図２】
2006302842.tif 000004